(57)【要約】【課題】  薄型腕時計に適用可能な薄型の中留及び腕時計を提供することにある。【解決手段】  表カバー１０と中板１１と下板１３とを設け、表カバー１０にはばね棒１５を介して当該表カバー１０の内側に保持されるスライド板保持体３１を設け、このスライド板保持体３１には中板もしくは下板に形成されたフック１１Ａと係合する方向に付勢されるスライド板３３を設け、このスライド板３３に設けられて表カバー１０の外側に突出する操作部２５を操作することにより、スライド板３３をスライドさせて、当該スライド板３３と中板もしくは下板に形成されたフック１１Ａとの係合を解除する。【選択図】      図４
2005137791.tif 000002
【特許請求の範囲】
【請求項１】
表カバーと中板と下板とを設け、前記表カバーにはばね棒を介して当該表カバーの内側に保持されるスライド板保持体を設け、このスライド板保持体には前記中板もしくは前記下板に形成されたフックと係合する方向に付勢されるスライド板を設け、このスライド板に設けられて前記表カバーの外側に突出する操作部を操作することにより、スライド板をスライドさせて、当該スライド板と前記中板もしくは前記下板に形成されたフックとの係合を解除するように形成したことを特徴とする中留。
【請求項２】
前記スライド板保持体を平板状に形成し、
その平板部に前記ばね棒が貫通する長孔を有する保持部を形成したことを特徴とする請求項１記載の中留。
【請求項３】
前記スライド板と前記操作部とを平板状の素材をプレス加工することにより一体的に形成したことを特徴とする請求項１又は２記載の中留。
【請求項４】
前記フックの高さが前記保持部の高さよりも低く形成されていることを特徴とする請求項１乃至３のいずれか一項記載の中留。
【請求項５】
前記スライド板を付勢する手段がコイルばねであることを特徴とする請求項１乃至４のいずれか一項記載の中留。
【請求項６】
時計ケースと、時計バンドと、この時計バンドの中留とを備え、
この中留が、表カバーと中板と下板とを備え、
前記表カバーにはばね棒を介して当該表カバーの内側に保持されるスライド板保持体を設け、このスライド板保持体には前記中板もしくは前記下板に形成されたフックと係合する方向に付勢されるスライド板を設け、このスライド板に設けられて前記表カバーの外側に突出する操作部を操作することにより、スライド板をスライドさせて、当該スライド板と前記中板もしくは前記下板に形成されたフックとの係合を解除するように形成したことを特徴とする腕時計。
【請求項７】
前記スライド板保持体を平板状に形成し、
その平板部に前記ばね棒が貫通する長孔を有する保持部を形成したことを特徴とする請求項６記載の腕時計。
【請求項８】
前記スライド板と前記操作部とを平板状の素材をプレス加工することにより一体的に形成したことを特徴とする請求項６又は７記載の腕時計。
【請求項９】
前記フックの高さが前記保持部の高さよりも低く形成されていることを特徴とする請求項６乃至８のいずれか一項記載の腕時計。
【請求項１０】
前記スライド板を付勢する手段がコイルばねであることを特徴とする請求項６乃至９のいずれか一項記載の腕時計。
【発明の詳細な説明】
【技術分野】
【０００１】
本発明は、例えば、腕時計用バンドやブレスレット等の帯状装身具の中留およびそれを用いた腕時計に関する。
【背景技術】
【０００２】
一般に、表カバーと中板と下板とを有し、表カバーにはばね棒を介して当該表カバーの内側に保持されて、中板もしくは下板に形成されたフックと係合する方向に付勢されるスライド機構を備え、表カバーの外側に突出した操作部を操作することにより、スライド機構をスライドさせて、当該スライド機構と中板もしくは下板に形成されたフックとの係合を解除する三つ折れ中留が知られている（例えば、特許文献１参照）。
【特許文献１】特開２０００−２０１７１０号公報
【発明の開示】
【発明が解決しようとする課題】
【０００３】
しかし、従来の構成では、錠止ピンと摺動錠止板とを係合させて、スライド機構と中板もしくは下板に形成されたフックとを係合させているため、錠止ピンの先端部が摺動錠止板の上面より上方に飛び出ることとなり、中留の表カバーの上面から下板までの厚さを薄くすることが困難になるという問題がある。また、錠止部材をバンド長さ方向にスライドさせるため、上部枠体には錠止部材の厚さより若干高い立ち上り部が必要となり、さらに、錠止ピンの先端部を収めるための凸部が形成されているため、中留の表カバーの上面から下板までの厚さを薄くすることが困難になるという問題がある。
そこで、本発明の目的は、上述した従来の技術が有する課題を解消し、薄型腕時計に適用可能な薄型の中留及び腕時計を提供することにある。
【課題を解決するための手段】
【０００４】
本発明は、表カバーと中板と下板とを設け、前記表カバーにはばね棒を介して当該表カバーの内側に保持されるスライド板保持体を設け、このスライド板保持体には前記中板もしくは前記下板に形成されたフックと係合する方向に付勢されるスライド板を設け、このスライド板に設けられて前記表カバーの外側に突出する操作部を操作することにより、スライド板をスライドさせて、当該スライド板と前記中板もしくは前記下板に形成されたフックとの係合を解除するように形成したことを特徴とする。
この場合、前記スライド板保持体を平板状に形成し、その平板部に前記ばね棒が貫通する長孔を有する保持部を形成してもよい。
また、前記スライド板と前記操作部とを平板状の素材をプレス加工することにより一体的に形成してもよい。
さらに、前記フックの高さが前記保持部の高さよりも低く形成されていてもよい。
また、前記スライド板を付勢する手段がコイルばねであってもよい。
【０００５】
本発明は、時計ケースと、時計バンドと、この時計バンドの中留とを備え、この中留が、表カバーと中板と下板とを備え、前記表カバーにはばね棒を介して当該表カバーの内側に保持されるスライド板保持体を設け、このスライド板保持体には前記中板もしくは前記下板に形成されたフックと係合する方向に付勢されるスライド板を設け、このスライド板に設けられて前記表カバーの外側に突出する操作部を操作することにより、スライド板をスライドさせて、当該スライド板と前記中板もしくは前記下板に形成されたフックとの係合を解除するように形成したことを特徴とする。
この場合、前記スライド板保持体を平板状に形成し、その平板部に前記ばね棒が貫通する長孔を有する保持部を形成してもよい。
また、前記スライド板と前記操作部とを平板状の素材をプレス加工することにより一体的に形成してもよい。
さらに、前記フックの高さが前記保持部の高さよりも低く形成されていてもよい。
また、前記スライド板を付勢する手段がコイルばねであってもよい。
【発明の効果】
【０００６】
本発明では、スライド板保持体、並びにスライド板を、表カバーの内側にコンパクトに収容することができ、薄型腕時計に適用可能な薄型の中留が提供される。
【発明を実施するための最良の形態】
【０００７】
以下、本発明の一実施形態を、図面に基づき説明する。
図１は、本発明の実施形態に係る腕時計の外観構成を示す図である。この腕時計１は、時刻表示を行う時計本体３と、この時計本体３に連結されたバンド５とから構成される。時計本体３は、例えば、ステンレス、チタン等で形成された金属ケース内に、時計表示部が内蔵されて構成される。
なお、本構成では、時刻をアナログ表示する腕時計を例示したが、時刻をデジタル表示する腕時計であってもよい。
バンド５は、ステンレス、チタン等の金属材料で形成された駒を多数連結して構成される。バンド５は、上バンド５Ａと、下バンド５Ｂとからなり、これら上バンド５Ａと、下バンド５Ｂとは、この腕時計１を装着部位（装着者の手首）に止めるため、中留（結束部）７で結束される。
【０００８】
この中留７は、図２又は図４に示すように、上バンド５Ａにピン連結された表カバー１０と、下バンド５Ｂにピン連結された中板１１と、中板１１にピン１２で連結された下板１３と、表カバー１０の内側に収容されたスライド機構２１とを備えて構成される。
表カバー１０には、図５に示すように、その裏側に延びる一対の立上部１０Ａと、各立上部１０Ａに形成された開口部１０Ｂと、この開口部１０Ｂに連なる切り欠き部１０Ｄと、開口部１０Ｂの両側の立上部１０Ａに形成された孔１０Ｃとが形成される。
この孔１０Ｃの内、最も外側の孔には、図４に示すように、夫々ピン１４を介して上バンド５Ａと、下板１３とが連結される。
孔１０Ｃの内、内側の孔にはばね棒１５が挿入され、このばね棒１５はスライド機構２１を貫通し、その両端が各立上部１０Ａの孔１０Ｃに保持され、スライド機構２１を表カバー１０の内側に保持している。
【０００９】
このスライド機構２１は、図６〜図８に示すように、スライド板保持体３１と、スライド板３３とを備えて構成される。
スライド板保持体３１は、図６に示すように、概ね平板状に形成される。その平板部３１Ａには、ばね棒１５が貫通する長孔２３を有する保持部２２と、バンド幅方向に突出する一対の保持ピン２４とが形成され、さらに平板部３１Ａの中程には、バンド幅方向に突出する張り出し部２７が形成されている。
一対の保持ピン２４のスライド板保持体３１端部からの突出寸法は、表カバー１０の立上部１０Ａの厚さより若干小さく形成されている。なお、本構成では、図６を参照し、保持部４１の孔４１Ａに保持ピン２４を打ち込む構成としたが、これに限定されず、保持部４１をカーリング形成する際の、当該カーリング部の先端部をカーリング部外径より小さく形成して保持ピン２４に代えてもよい。
この張り出し部２７を除くスライド板保持体３１の幅寸法（バンド幅方向）は、表カバー１０の立上部１０Ａの内側面間寸法よりも若干小さく形成され、張り出し部２７の突出寸法Ｌ３は、表カバー１０の立上部１０Ａの厚さよりも若干小さく形成され、また、張り出し部２７の幅寸法Ｌ２は、表カバー１０の開口部１０Ｂの幅寸法Ｌ１（図５を参照）よりも若干小さく形成されている。
【００１０】
スライド板３３は、図７に示すように、プレスにより一枚の板材を打ち抜いて形成されている。このスライド板３３には、中板１１に形成された逆Ｌ字形状のフック１１Ａ（図２）に係合する係合部３３Ａと、表カバー１０の開口部１０Ｂを通じて、表カバー１０の両外側に突出（図２）する一対の操作部２５と、凹状に形成されたばね受け部３３Ｂとが一体に形成されている。
上述した係合部３３Ａの裏面側には傾斜面３７が形成され、係合部３３Ａの表面側には段差部３９が形成されている。
また、係合部３３Ａの厚さはスライド板３３の厚さよりも薄く形成されている。係合部３３Ａ上面とスライド板３３上面との段差寸法は、中板１１のフック１１Ａの張り出し部１１Ｄ（図４）の厚さよりも大きく形成される。従って、中板１１に形成した逆Ｌ字形状のフック１１Ａの上面部が、スライド板３３の厚さ内に位置することになり、中留７の総厚を薄くすることができる。
また、スライド板に操作部２５を一体形成したので、従来のものに比べて、部品点数が少なくなり低コスト化が図られる、等の効果が得られる。
【００１１】
また、スライド板３３における、操作部２５の首部３３Ｃの寸法Ｌ５は、表カバー１０の立上部１０Ａの厚さよりも若干大きく形成され、首部３３Ｃの幅寸法Ｌ４は、表カバー１０の開口部１０Ｂの幅寸法Ｌ１よりも小さく形成される。
ここで、フック１１Ａは、図２に示すように、中板１１の一部を切り起こして形成してもよく、或いは、図３Ａ，Ｂに示すように、別個のフック１１Ａを中板１１に対してねじ１１Ｃ止めしてもよく、もしくは中板１１の裏面側からかしめてもよい。
なお、図示は省略したが、中留７の構造によっては、フック１１Ａを中板１１でなく、下板１３に形成する場合がある。この下板１３にフックを形成する場合においても、当該フックは同様に構成される。
【００１２】
これらスライド板保持体３１及びスライド板３３の、上記表カバー１０への組み込みは次の通りである。図８に示すように、まず、スライド板保持体３１にスライド板３３とコイルばね３５とをセットし、保持部２２の長孔２３にばね棒１５を挿通する。
そして、スライド板保持体３１から突出した保持ピン２４を、表カバー１０の切り欠き部１０Ｄにセットし、保持ピン２４を中心として、スライド板保持体３１を回転させた後、ばね棒１５の両端を、表カバー１０における、立上部１０Ａの開口部１０Ｂ近傍に形成された孔１０Ｃに取り付ける。
この状態では、図８に示すように、スライド板３３の係合部３３Ａが、スライド板保持体３１の端部３１Ｂから突出する。
【００１３】
上記構成では、図４に示すように、フック１１Ａの高さが保持部２２，４１の高さよりも低く設定される。このことによって、スライド機構２１を収容する表カバー１０の高さＨ（図５）は、この保持部２２の高さによって支配される。
本構成では、一枚の平板を、図６に示すように、折り曲げ加工することにより保持部２２，４１を形成するため、保持部２２，４１の高さを比較的低く抑えることができ、この保持部２２，４１の高さによって支配される表カバー１０の高さＨをより低く抑えることができ、表カバー１０の小型薄型化が図られる。
【００１４】
操作は次の通りである。
中留７をロックする場合には、図４に示すように、表カバー１０と、中板１１と、下板１３とを重ね合わせた後、表カバー１０を中板１１の方向に押し下げる。
これを押し下げると、まず、スライド板３３の係合部３３Ｂの下面がフック１１Ａの上面に当接する。ここで、係合部３３Ｂの下面には、図４に示すように、傾斜面３７が形成されており、スライド板３３には、この傾斜面３７の機能により、コイルばね３５のばね力に抗して矢印Ｘ方向と逆方向に向かう分力が作用し、この分力により押されてスライド板３３がその方向に移動する。このスライド板３３がその方向に移動すると、係合部３３Ｂとフック１１Ａとのオーバーラップ状態が解除されて、フック１１Ａの下に係合部３３Ｂが位置すると同時に、図４に示すように、スライド板３３が、コイルばね３５の弾性力によって元の位置に押し戻され、これによって、係合部３３Ｂの上面部が、フック１１Ａの凹部内に移動してロックされる。
【００１５】
中留７のロックを解除する場合には、表カバー１０の立上部１０Ｂの外側面から突出する操作部２５を掴んで、この操作部２５をバンド長さ方向（図４の矢印Ｘと逆方向。）にスライドさせる。すると、中板１１のフック１０Ａと、スライド板３３の係合部３３Ｂとのかみ合わせが解除され、さらに、表カバー１０を中板１１と反対方向に回動させると、当該ロックが解除されて、図２の状態となる。
【００１６】
図９乃至図１３は、別の実施形態を示す。
本構成では、図１０を参照し、スライド板保持体５１の保持部５２，５３の孔５２Ａ，５３Ａに、夫々ばね棒１５が挿入される。
そして、このばね棒１５の両端が、表カバー１０における、立上部１０Ａの開口部１０Ｂ近傍に形成された孔１０Ｃ（図１２）に取り付けられる。このスライド板保持体５１には、図１１に示すスライド板５５が、上記実施形態と同様に組み合わされる。このスライド板５５には、一対の操作部２５と、係合部５５Ａと、突出部５５Ｂと、ばね受け部５５Ｃとが形成され、係合部５５Ａは、突出量が短く形成される。
スライド板保持体５１には、図１０に示すように、開口部５１Ａが形成されており、スライド板保持体５１及びスライド板５５を、表カバー１０へ組み込んだ場合、図１３に示すように、スライド板保持体５１の開口部５１Ａに、スライド板５５の係合部５５Ａが臨み、さらに、図９を参照して、中板１１のフック１１Ａが貫通し、このフック１１Ａにスライド板５５の係合部５５Ａが係合する。
この組み込み状態においては、スライド板５５の突出部５５Ｂが、一方の保持部５２に当接する。このスライド板５５の突出部５５Ｂは、保持部５２に当接せずに、多少の遊びを持った状態であってもよい。
【００１７】
図１４乃至図１７は、さらに別の実施形態を示す。
本実施形態では、図１６に示すように、スライド板８０に対し、中板１１のフック１１Ａに係合する係合部８０Ａが下方に曲げ加工して形成される。図１５を参照し、スライド板保持体８１には、保持部８１Ａ，８１Ｂが形成され、一方の保持部８１Ａには、あらかじめばね棒８２が嵌め合わされ、このばね棒８２の下方に位置するように、スライド板保持体８１には開口部８３が形成されている。スライド板保持体８１とスライド板８０を組み合わせた場合、図１７に示すように、スライド板８０の係合部８０Ａが、ばね棒８２の下方を経て、スライド板保持体８１の開口部８３を通じて外に突出する。ただし、係合部８０Ａの底面は、図１４に示すように、スライド板保持体８１の底面より突出しないように形成されており、係合部８０Ａの上面は、スライド板保持体８１の保持部８１Ｂに、ばね棒１５を挿通したときに、ばね棒１５の下面に当接するか、もしくは多少の遊びを持った状態であってもよい。
【００１８】
本実施形態では、中留７をロックする場合には、まず、表カバー１０を中板１１の方向に回動させることになる。
この場合、中板１１に形成されたフック１１Ａが、スライド板８０の傾斜面８５に当たり、その垂直分力により、スライド板８０の係合部８０Ａの上面部が、ばね棒８２のパイプに当接するとともに、水平分力によりスライド板８０が水平方向に移動し、それと一緒に、ばね棒８２のパイプ８２Ａが回転する。
このため、スライド板８０をスムースに移動させることができる。この場合、ばね棒８２のパイプ８２Ａが回転することが望ましい。
【図面の簡単な説明】
【００１９】
【図１】本発明の一実施形態を示す腕時計の斜視図である。
【図２】同じく中留の斜視図である。
【図３】Ａはフックの斜視図、Ｂは断面図である。
【図４】中留の断面図である。
【図５】表カバーの斜視図である。
【図６】スライド板保持体の斜視図である。
【図７】スライド板の斜視図である。
【図８】スライド板保持体とスライド板の組図である。
【図９】中留の別の実施形態を示す図である。
【図１０】スライド板保持体の別の実施形態を示す図である。
【図１１】スライド板の別の実施形態を示す断面図である。
【図１２】表カバーの斜視図である。
【図１３】スライド板保持体とスライド板の組図である。
【図１４】中留の別の実施形態を示す図である。
【図１５】スライド板保持体の別の実施形態を示す図である。
【図１６】スライド板の別の実施形態を示す断面図である。
【図１７】スライド板保持体とスライド板の組図である。
【符号の説明】
【００２０】
７…中留、１０…表カバー、１０Ａ…立上部、１０Ｂ…開口部、１１…中板、１１Ａ…フック、１３…下板、１５…ばね棒、２１…スライド機構、２２…保持部、２５…操作部、３１…スライド板保持体、３３…スライド板。
【図１】
2005137791.tif 000003
【図２】
2005137791.tif 000004
【図３】
2005137791.tif 000005
【図４】
2005137791.tif 000006
【図５】
2005137791.tif 000007
【図６】
2005137791.tif 000008
【図７】
2005137791.tif 000009
【図８】
2005137791.tif 000010
【図９】
2005137791.tif 000011
【図１０】
2005137791.tif 000012
【図１１】
2005137791.tif 000013
【図１２】
2005137791.tif 000014
【図１３】
2005137791.tif 000015
【図１４】
2005137791.tif 000016
【図１５】
2005137791.tif 000017
【図１６】
2005137791.tif 000018
【図１７】
2005137791.tif 000019